(57)【要約】【課題】使用済食品容器が洗浄後の水気を帯びた状態でも、これを収納して乾燥し清潔な状態で室内で保管することができる簡素な構成の使用済食品容器乾燥庫を提供する。洗浄後の水気を帯びた使用済食品容器などを、制約を受けることなく収納分別して清潔な状態で室内で保管できる分別収納庫を提供する。【解決手段】使用済食品容器乾燥庫１は、洗浄後の水気を帯びた状態の使用済食品容器を、室内に設置された収納部３に取り出し可能に収納し、この収納部で空気Ａを強制的に通過させることにより、収納部内の使用済食品容器を乾燥させる。使用済食品容器乾燥庫１を有する分別収納庫は、使用済食品容器を含むごみの全体を種類に応じて分別して収納保管するための複数の引き出しと、これら複数の引き出しが引き出し収納可能に設けられたキャビネットと、キャビネットに組込まれた使用済食品容器乾燥庫とを備えている。【選択図】　　図１
2004113695.tif 000002
【特許請求の範囲】
【請求項１】
洗浄後の水気を帯びた状態の使用済食品容器を、室内に設置された収納部に取り出し可能に収納し、
この収納部で空気を強制的に通過させることにより、前記収納部内の前記使用済食品容器を乾燥させることを特徴とする使用済食品容器乾燥庫。
【請求項２】
請求項１に記載の使用済食品容器乾燥庫であって、
前記収納部は、開口部を有する中空の収納部本体と、この収納部本体に引き出し，収納自在に設けられ、前板で前記開口部を塞ぐことが可能な引き出しと、この引き出しに着脱可能に載置され、前記使用済食品容器を収納可能で持ち運び自在な内容器とを有し、
前記引き出しが前記収納部本体に収納された状態のとき、前記使用済食品容器を乾燥させるための前記空気は、前記前板または蹴込み部に形成された吸気用開口から前記引き出し内に入って前記内容器内を流れた後、前記収納部本体の内部から屋外または室内に排気されることを特徴とする使用済食品容器乾燥庫。
【請求項３】
請求項２に記載の使用済食品容器乾燥庫であって、
前記収納部本体から排気用配管に至る空気流路の途中に取付けられた吸気ファンによって前記空気を強制的に流すようにしたことを特徴とする使用済食品容器乾燥庫。
【請求項４】
請求項１，２または３に記載の前記使用済食品容器乾燥庫が組込まれた分別収納庫であって、
前記使用済食品容器を含むごみの全体をこのごみの種類に応じて分別して収納し保管するための複数の引き出しと、
これら複数の引き出しが引き出し，収納可能に設けられたキャビネットと、
このキャビネットに組込まれた前記使用済食品容器乾燥庫とを備えたことを特徴とする使用済食品容器乾燥庫を有する分別収納庫。
【請求項５】
請求項４に記載の分別収納庫であって、
この分別収納庫は厨房家具に組込まれていることを特徴とする使用済食品容器乾燥庫を有する分別収納庫。
【発明の詳細な説明】
【０００１】
【発明の属する技術分野】
本発明は、洗浄後の水気を帯びた状態の食品トレーなど使用済食品容器を収納して乾燥，保管するための使用済食品容器乾燥庫およびこれを有する分別収納庫に関する。
【０００２】
【従来の技術】
近年、地球環境の保護および資源の有効利用などの観点から、ごみを再資源化するために全国的にごみの分別収集が行われるようになっている。分別収集の内容は地方自治体によってまちまちであるが、主としてキッチンで発生する牛乳パック，食品トレー，瓶，缶，ペットボトル（ポリエチレンテレフタレート（ＰＥＴ）製のボトル）など使用済食品容器には、資源ごみとして回収可能なものが多い。また、キッチンからは資源ごみになりにくい生ごみも発生する。
使用済食品容器は、洗浄しても水気を帯びたまま放置しておくと、ごみ袋からの汁だれや残留付着物の腐敗による臭気が発生するので、通常は洗浄したのち乾燥させている。
その後、資源ごみとして分別してごみ収集に出すか、または、スーパーマーケットやコンビニエンスストアなどの店頭に設置された資源ごみの回収場所へ持ち込むことになる。
【０００３】
ところが、以前と比較すると分別，洗浄，乾燥すべき使用済食品容器の種類や全体量が次第に増えており、洗浄後の使用済食品容器を乾燥，保管するためのスペースの確保が困難になってきている。
洗浄後の使用済食品容器は、主としてキッチンルームで、流し台やシステムキッチンの天板の上や水切りカゴなどに立て掛けるかまたは何かに引っかけた状態で放置し、自然乾燥させているのが現状である。
しかし、キッチンルームはそれほど風通しのよくない場合が多いので、自然乾燥には時間がかかり、洗浄後の使用済食品容器は、いつまででも放置されたままになる。また、瓶，缶，ペットボトルなどを天板上に逆さまに立て掛けておくと、瓶などに付着していた水が、天板を長時間にわたって濡らしてしまう。
使用済食品容器が乾燥するまでこのような状態では、キッチンスペースが雑然となって見栄えも悪く、天板が乾かずにいつまでも濡れたままだと、衛生面でも好ましくない。また、自然乾燥中の使用済食品容器が邪魔になって、家事作業にも支障をきたしてしまうという課題があった。
【０００４】
そこで、このような分別，洗浄，乾燥が必要な使用済食品容器の増加に伴い、資源ごみを分別して収納庫内に一時的に保管する技術が提案されている。
たとえば、特許文献１などには、多種類の分別ごみを収納するための収納庫が提案されている。しかし、この収納庫は、乾燥機能がないので、予め洗浄，自然乾燥された分別ごみでないと衛生上収納することはできなかった。
また、他の従来技術にかかる商品は、可燃ごみやアルミ缶，ペットボトルなどの圧縮可能なごみはそれぞれ圧縮することができ、圧縮できない瓶やスチール缶などはそのままの状態で専用収納スペースで保管するようになっている。
しかしながら、この商品には換気，乾燥機能や防臭機能が装備されていないので、生ごみや洗浄後の水気を帯びた使用済食品容器は投入することができない。つまり、収納対象物が乾燥したごみに限られるという制約があるので、使い勝手が悪く、上述の課題も解決することができなかった。
【０００５】
他の従来技術として、キッチンにおいてごみ収納箱（または、ごみ容器）にごみを投入して、このごみ収納箱（または、ごみ容器）の内部の臭気を排気，脱臭できるごみ収納装置も提案されている（たとえば、特許文献２，特許文献３など参照）。
【０００６】
【特許文献１】
特開平１１−３３２６７１号公報
【特許文献２】
特開平１０−８０３３３号公報
【特許文献３】
特開平１０−１５２２０４号公報
【０００７】
【発明が解決しようとする課題】
特許文献２に記載のごみ収納装置では、脱臭ファンを設けて排気，脱臭を行なっているが、使用済食品容器を強制的に乾燥させるための対策は採られていない。そのため、ごみの種類に応じた適切な乾燥を行うことはできず、使用済食品容器は、長時間にわたってごみ収納箱内で水気を帯びたままの状態になって、腐敗する恐れもあった。
一方、特許文献３に記載のごみ収納装置は、吸引ファンを設けて排気，脱臭を行なっている。しかし、瓶やペットボトルなど（使用済食品容器）を資源ごみとして分別収納するためのごみ容器には、洗浄，自然乾燥済みの資源ごみしか収納することができなかった。すなわち、このごみ収納装置は、洗浄して水気を帯びたままの資源ごみを強制的に乾燥させる構成ではなかった。
【０００８】
本発明は、このような課題を解決するためになされたもので、使用済食品容器が洗浄後の水気を帯びた状態でも、これを収納して乾燥し清潔な状態で室内で保管することができる簡素な構成の使用済食品容器乾燥庫を提供することを目的とする。
また、本発明は、洗浄後の水気を帯びた状態の使用済食品容器など各種のごみ全体を、制約を受けることなく収納し、分別して清潔な状態で室内で保管することが可能な分別収納庫を提供することを目的とする。
【０００９】
【課題を解決するための手段】
上述の目的を達成するため、本発明にかかる使用済食品容器乾燥庫は、洗浄後の水気を帯びた状態の使用済食品容器を、室内に設置された収納部に取り出し可能に収納し、この収納部で空気を強制的に通過させることにより、前記収納部内の前記使用済食品容器を乾燥させている。
前記収納部は、開口部を有する中空の収納部本体と、この収納部本体に引き出し，収納自在に設けられ、前板で前記開口部を塞ぐことが可能な引き出しと、この引き出しに着脱可能に載置され、前記使用済食品容器を収納可能で持ち運び自在な内容器とを有し、前記引き出しが前記収納部本体に収納された状態のとき、前記使用済食品容器を乾燥させるための前記空気は、前記前板または蹴込み部に形成された吸気用開口から前記引き出し内に入って前記内容器内を流れた後、前記収納部本体の内部から屋外または室内に排気されるようにするのが好ましい。前記使用済食品容器乾燥庫は、前記収納部本体から排気用配管に至る空気流路の途中に取付けられた吸気ファンによって前記空気を強制的に流すようにするのが好ましい。
本発明にかかる分別収納庫は、前記使用済食品容器乾燥庫が組込まれた分別収納庫であって、前記使用済食品容器を含むごみの全体をこのごみの種類に応じて分別して収納し保管するための複数の引き出しと、これら複数の引き出しが引き出し，収納可能に設けられたキャビネットと、このキャビネットに組込まれた前記使用済食品容器乾燥庫とを備えている。また、前記分別収納庫を厨房家具に組込むのが好ましい。
【００１０】
【発明の実施の形態】
以下、本発明にかかる実施の形態の一例を、図１ないし図１３を参照して説明する。
（第１の実施形態）
図１は、使用済食品容器乾燥庫の一実施形態を示す斜視図、図２は、図１に示す使用済食品容器乾燥庫の内容器を示す図で、図２（Ａ），（Ｂ），（Ｃ）は、それぞれ前記内容器の斜視図，Ｂ部拡大図，Ｃ部拡大図である。図３は、前記使用済食品容器乾燥庫の概略断面図である。
図１ないし図３に示すように、使用済食品容器乾燥庫（以下、乾燥庫と記載）１は、洗浄後の水気を帯びた状態の使用済食品容器２を、収納部３に取り出し可能に収納している。収納部３は、室内（たとえば、キッチンルーム，リビングルーム）に設置されている。なお、乾燥庫１の前板７側を「前方」として、以下説明する。
使用済食品容器２としては、再資源化可能な牛乳パック，食品トレー，瓶，缶，ペットボトル，袋状物などがあり、これらは、空になったら洗浄，乾燥，分別して資源ごみとしてごみ収集に出すか、またはスーパーマーケットやコンビニエンスストアなどの店頭の回収場所に持ち込むことになる。
【００１１】
乾燥庫１は、収納部３で空気Ａを強制的に通過させることにより、収納部３内の使用済食品容器２を乾燥させるようにしている。これにより、使用済食品容器２が洗浄後の水気を帯びた状態でも、この使用済食品容器２を収納して乾燥し、清潔な状態で室内で保管することができ、乾燥庫１の構成も簡素なものにすることができる。
このユニット状の乾燥庫１は、室内に独立して床面上に設置してもよいが、分別収納庫４，４ａ（図７〜図１０）や、厨房家具（たとえば、システムキッチン，食器などを収納する収納庫，キッチンの流し台など）に組込むことも可能である。
【００１２】
本実施形態の収納部３は、開口部５を有する中空の収納部本体６と、収納部本体６に引き出し，収納自在に設けられ、前板７で開口部５を塞ぐことが可能な引き出し８と、引き出し８に着脱可能に載置され、使用済食品容器２を収納可能で持ち運び自在な内容器９とを有している。内容器９には、持ち運び用部材としてのひも４０が取付けられている。
そして、収納部３は、引き出し８が収納部本体６に収納された状態のとき、使用済食品容器２を乾燥させるための空気Ａが、前板７（または、蹴込み部）に形成された吸気用開口１０から引き出し８内に入って内容器９内を流れた後、収納部本体６の内部から屋外または室内に（本実施形態では、屋外に）排気されるようにしている。
【００１３】
収納部３に引き出し８を設けたので、収納部３に対して使用済食品容器２を容易に収納したり取り出したりすることができる。内容器９を引き出し８に対して着脱可能に且つ持ち運び自在にしたので、たとえば、キッチンルームで調理中などに、内容器９をシンクの近くに置いて、使用済食品容器が空になったら洗浄して水気を帯びた状態で内容器９に次々に収納し、その後、内容器９を乾燥庫１まで持ち運ぶことができる。
従来のような自然乾燥ではないので、調理の際などに使用済食品容器２が邪魔になることはなく、家事作業の能率が向上する。内容器９を持ち運ぶ途中で使用済食品容器２から水が床に落ちることはなく、清潔である。内容器９にひも４０などの持ち運び用部材を取付けたので、ひも４０を持って内容器９を容易に持ち運ぶことができる。
内容器９内を通過した空気Ａは、収納部本体６の内部から排気用配管１１を通って屋外に排気されるので、キッチンルームやリビングルームなどの室内に臭気が漏れることはない。
なお、使用済食品容器２からの臭気がほとんどない場合には、空気Ａを収納部本体６の内部から室内に排気するようにしてもよい。この場合には、排気用配管１１は不要になるので、構成が簡略化され、設置工事も不要になる。
【００１４】
収納部本体６から排気用配管１１に至る空気流路の途中には、空気Ａを強制的に流すための吸気ファン１３が取付けられている。本実施形態の乾燥庫１では、収納部本体６と排気用配管１１との接続部１２に吸気ファン１３を取付け、この吸気ファン１３によって空気Ａを強制的に流している。
これにより、引き出し８が収納部本体６に収納された状態のとき、引き出し８と収納部本体６との間などに若干の隙間があっても、この隙間から空気が内部に吸引されるので、収納部３内の空気が室内２２に漏れ出る恐れはない。
なお、吸気ファン１３を取付ける位置は、収納部本体６から排気用配管１１に至る空気流路の途中であればよいので、接続部１２以外の位置たとえば排気用配管１１の途中や収納部本体６の内部であってもよい。
また、吸気ファン１３に代えて、送風ファンを、内容器９より下部に位置させて引き出し８に取付けた場合であってもよい。
【００１５】
次に、乾燥庫１について詳細に説明する。
収納部本体６は全体が矩形状に形成され、前面に開口部５が形成され、前面（または、他の面）に吸気ファン１３を運転するための操作部２０が取付けられている。操作部２０には、「乾燥モード」のオン，オフスイッチ，「乾燥＋防臭モード」のオン，オフスイッチなどが設けられている。
収納部本体６の内部には、吸気ファン１３を制御するための制御部２１が取付けられており、制御部２１は、吸気ファン１３および操作部２０と電気的に接続されている。
吸気ファン１３は、収納部本体６の側板６ａまたは背板６ｂの内側に取付けられている。なお、吸気ファン１３を、収納部本体６の天井板または底板に取付けた場合であってもよい。
【００１６】
排気用配管１１は、吸気ファン１３と連通して収納部本体６に接続されている。排気用配管１１は、収納部３が設置された室内２２から建屋壁２３を貫通して屋外２４まで延び、屋外２４で排気口２５が開口して屋外排気ができるようになっている。
排気用配管１１の途中には逆流防止手段２６が取付けられて、吸気ファン１３が停止しているときなどに、収納部本体６内の臭気が室内２２に漏れ出ないようにしている。なお、収納部本体６内にほとんど臭気がない場合には、逆流防止手段２６を設けない場合であってもよい。
【００１７】
引き出し８は、受けレール３０とスライド部材３２により引き出し，収納自在になっている。引き出し８は、内方に空間Ｓが形成された引き出し本体３１と、引き出し本体３１の前方に固定された前板７とを有している。
引き出し８の左右に配置されている側板６ａには、左右一対の受けレール３０が取付けられている。一対の受けレール３０は、前後方向を向いて、ほぼ水平に且つ平行に配置されている。
受けレール３０には、スライド部材３２が前後方向にスライド自在に係合している。一対のスライド部材３２は、引き出し本体３１の左右両側に取付けられている。引き出し８は、一対の受けレール３０とスライド部材３２を介して、収納部本体６に対して前後方向に自在に移動する。
【００１８】
パッキン３３が、収納部本体６の前端面の外周部全体（または、前板７の後面外周部全体）に固着されている。これにより、引き出し８が収納部本体６に収納された状態で、前板７と収納部本体６との間の隙間がシールされ、収納部本体６の内部が密閉される。
引き出し本体３１は、平板状の底板３４と、底板３４の両側に固定された一対の側板３５と、底板３４と側板３５に固定され、後方に配置され且つ前板７と平行に配置された背板３６とを有している。
【００１９】
引き出し本体３１の上部外周面には、スプリング機能を発揮する複数個の位置決め部材３７が、上方に突出して設けられている。位置決め部材３７は、たとえば、引き出し本体３１に対して左右にそれぞれ二個ずつ，後方に一個配置されている。
複数個の位置決め部材３７が、内容器９を引き出し本体３１の上面の所定位置に位置決めするので、内容器９を、引き出し本体３１に対して着脱可能に容易に載置することができる。内容器９を引き出し本体３１に載置するときには、位置決め部材３７は、その弾性力に抗して変形し、スプリング力により内容器９を所定位置に保持する。
引き出し本体３１の上端面全周には、矩形環状の密閉用パッキン３８が固着されている。したがって、内容器９を引き出し本体３１上に載置した状態で、密閉用パッキン３８により引き出し本体３１と内容器９との間の隙間がシールされる。引き出し本体３１と、引き出し本体３１上に載置された内容器９の底板４１とにより、密閉した空間Ｓが形成される。
【００２０】
前板７は、引き出し本体３１の前方側に固定され、ステンレス鋼やアルミニウムなど金属または合成樹脂により形成されている。特に、収納部３を独立して設置する場合、前板７は、人の足や掃除機などが接触することが多いので、剛性と美観の点で金属製であるのが好ましく、また、図示はしていないが、前方下部に蹴込みを形成するのが好ましい。
前板７の下部には、空間Ｓと連通する吸気用開口１０が貫通形成されている。内容器９が引き出し本体３１上に載置され、引き出し８が収納部本体６に収納された状態では、密閉用パッキン３８により隙間がシールされている。したがって、室内２２の空気Ａは、吸気用開口１０から密閉された空間Ｓに入った後、隙間から洩れることなくその全量が内容器９内に流入する。
【００２１】
内容器９は、上方が開口した有底中空状をなし、また、内容器９の持ち運び用部材の一例として変形自在なひも４０を有している。ひも４０は、内容器９の上縁部に一本または複数本（ここでは、二本）掛け渡されて、持ち運びを容易にするとともに、使用済食品容器２の収納，取り出しの邪魔にならないようにしている。
なお、内容器９に設けられる持ち運び用部材としては、変形自在なひも４０に代えて、内容器９の上縁部の左右（または、前後）に分離して固定される複数（たとえば、二個）の把手であってもよい。
この把手の場合には、持ち運び用部材が内容器９の開口を横切って掛け渡されていない。したがって、内容器９に対する使用済食品容器２の収納，取り出しの際に、内容器９の開口で把手が邪魔にならないので、作業をさらに容易に行うことができる。
【００２２】
内容器９は、底板４１と、底板４１の外周縁全周から上方に立ち上がって固定された平面視矩形状で筒状の側板４２とを有している。底板４１の上面４５は、波型またはその他の凹凸のある形状になっている。
これにより、内容器９内に収納された使用済食品容器２が底板４１にぴったりと密着して通風を妨げることがなくなり、使用済食品容器２の表面全体が空気Ａに触れて乾燥を容易にしている。
【００２３】
内容器９内に空気Ａを取り入れるための複数の空気取り入れ部４３が、底板４１の全体にわたって配置されている。空気取り入れ部４３には、立ち上がり管４４が、一体的にまたは別体で底板４１に固定されている。立ち上がり管４４は、底板４１を貫通し、底板４１の上面４５より上方まで立ち上がって上下が開口している。
カバー部材４６が、立ち上がり管４４を覆って、底板４１の上面４５に（または、立ち上がり管４４に）着脱可能に別体で（または、一体的に）取付けられている。カバー部材４６は、有底筒状のものを逆さまにして配置され、側面には複数（ここでは、二つ）の開口部４７が穿設されている。
したがって、内容器９が引き出し本体３１上に載置された状態で、空間Ｓ内の空気Ａは、立ち上がり管４４を通ってカバー部材４６内に入り、開口部４７から横方向（または、下方向，斜め下方向）に出て、内容器９内に流入することになる。これにより、底板４１に溜まっている水に風が当たるので、底板４１の乾燥が促進される。
立ち上がり管４４を設けたので、底板４１に水が溜まっていても、内容器９を持ち運ぶときに水が落下することがなく、また、内容器９を引き出し８に載置したときに、底板４１上の水が引き出し８内の空間Ｓに落下することがない。
カバー部材４６を設けたので、使用済食品容器２に付着していた水が上方から落ちてもカバー部材４６に当たるので立上がり管４４内に浸入することがない。また、内容器９に収納された使用済食品容器２は、まずカバー部材４６に当たるので、空気取り入れ部４３の空気流路を塞ぐ恐れもない。
【００２４】
これとは別に、底板４１には、一本または複数本の細長い棒状管４８が、上方に延びて着脱可能に取付けられている。棒状管４８は、ペットボトル，瓶，缶などの使用済食品容器２の転倒を防止して、これら容器の内部側も乾燥させるためのものである。
棒状管４８の下部は、底板４１を貫通して下方に開口し、棒状管４８の上端部またはその近傍には、開口部４９が形成されている。本実施形態では、棒状管４８の上端部を切断して開口部４９とし、棒状管４８の上端部に、カバー部材５０が固定されている。
カバー部材５０は開口部４９から離れて上方に配置されているので、開口部４９から流出した空気Ａが横方向に流れ出るようになっている。カバー部材５０があるので、開口部４９に水が浸入することがなく、使用済食品容器２が開口部４９を塞ぐ恐れもない。
したがって、ペットボトル，瓶，缶などの使用済食品容器２をさかさまにして棒状管４８に差し込むと、使用済食品容器２内の水は下方に落下し、一方、空間Ｓ内の空気Ａは、棒状管４８内を上方に流れて開口部４９から流出し、カバー部材５０に案内されて横方向に流出する。
その後、空気Ａは、使用済食品容器２内を下方に流れ、使用済食品容器２の下部の出口から内容器９内に流出して上昇することになる。これにより、使用済食品容器２の内部と外部の両方に空気Ａが行き渡るので、短時間のうちに乾燥する。また、使用済食品容器２は棒状管４８に支持されているので転倒しない。
【００２５】
図４（Ａ）〜（Ｄ）は、内容器９に設けられる棒状管４８の各種変形例を示す斜視図である。
図４（Ａ）〜（Ｄ）に示す棒状管４８の上端部またはその近傍の形状としては、図４（Ａ）では、棒状管４８の上端部が閉じており、この上端部の下方近傍に一つまたは複数の開口部４９ａを横方向に形成している。
開口部４９ａが横方向を向いているので、開口部４９ａ内への水の浸入を防止することができ、また、使用済食品容器２が開口部４９ａのところに密着しにくくなり、開口部４９ａが使用済食品容器２により塞がれる恐れが少なくなる。
図４（Ｂ）に示す棒状管４８では、図４（Ａ）で示した一つまたは複数の開口部４９ａの上側ほぼ半分の周囲にひさし５２を取付けている。開口部４９ａが横方向を向き且つ開口部４９ａの上方にひさし５２が設けられているので、開口部４９ａ内への水の浸入を防止することができる。また、使用済食品容器２はひさし５２にまず接触するので、開口部４９ａが使用済食品容器２により塞がれる恐れがさらに少なくなる。
【００２６】
図４（Ｃ）に示す棒状管４８では、図４（Ａ）に示す一つまたは複数の開口部４９ａの周囲に複数の突起部５３を形成している。開口部４９ａが横方向に形成されているので、開口部４９ａ内への水の浸入を防止することができる。また、使用済食品容器２は突起部５３にまず接触するので、開口部４９ａが使用済食品容器２により塞がれる恐れが少なくなる。
図４（Ｄ）では、図４（Ａ）に示す開口部４９ａと同じように、一つまたは複数の開口部４９ａが形成されており、さらに、棒状管４８の上端部には、棒状管４８より径の大きな大径部５４が一体的にまたは別体で形成されている。
開口部４９ａが横方向を向き且つ大径部５４が開口部４９ａより上方に位置しているので、開口部４９ａ内への水の浸入を防止することができる。また、使用済食品容器２は大径部５４にまず接触するので、開口部４９ａが使用済食品容器２により塞がれる恐れが少なくなる。
【００２７】
図２，図３に示すように、ビニール袋など袋状物の使用済食品容器２を良好に乾燥させるために、内容器９の側板４２の内壁には、クリップ状の支持手段５１が取付けられている。ビニール袋などを、その出口側を下にした状態でクリップ状支持手段５１で吊り下げて支持すれば、良好に乾燥することができる。
このように、内容器９には、空気取り入れ部４３，棒状管４８，クリップ状支持手段５１などが設けられているので、各種の使用済食品容器２を、最適な状態で内容器９にそれぞれセットして、短時間で乾燥することができる。
【００２８】
次に、乾燥庫１の動作について説明する。
図５は、乾燥運転，防臭運転，開口部５の開放時の防臭運転があり、運転モードを選択できる場合の、乾燥庫１の動作を示すフローチャートである。
乾燥庫１は、「乾燥モード」と「乾燥＋防臭モード」のうち一方のモードを選択可能になっている。「乾燥モード」では、乾燥運転と、開口部５の開放時の防臭運転とを行う。「乾燥＋防臭モード」では、乾燥運転と防臭運転を行う。
なお、防臭運転と開口部５の開放時の防臭運転とを省略した場合であってもよい。この場合には、運転モードは一つになるので運転モード選択は不要である。これら各モードの手順のプログラムは、制御部２１のメモリーに予め記憶されている。制御部２１は、各モードでの動作に必要なプログラムをメモリから呼び出して、乾燥運転，防臭運転時の動作をシーケンス制御する。
【００２９】
乾燥庫１を使用する際には、通常、内容器９をキッチンのシンクの近くに置き、ペットボトルなど食品容器が空になるとシンクで洗浄したのち、水気を帯びた状態の使用済食品容器２を内容器９内に収納する。
このとき、使用済食品容器２の種類，形状などに応じて、空気取り入れ部４３，棒状管４８，クリップ状支持手段５１などを適宜使い分ける。そして、使用済食品容器２内に水がなるべく残らず、且つ内容器９内で空気Ａが均等に流れるように内容器９に収納する。
そのために、たとえば、ペットボトル，紙パックなど筒状物は棒状管４８による「倒置」、食品トレイなど皿状物は底板４１の凹凸や空気取り入れ部４３を使った「立てかけ」、菓子袋，レトルトパックなど袋状物はクリップ状支持手段５１を使った「吊し」、というように使用済食品容器２の形態に合わせた収納の仕方が好ましい。
こうして、使用済食品容器２が収納された内容器９を、そのひも４０を持ってシンクの近傍から収納部３に持ち運ぶ。このとき、内容器９の底板４１上に若干の水が溜まっていても、空気取り入れ部４３の立ち上がり管４４が立ちがっており、また、棒状管４８も上方に延びているので、内容器９内の水が下に落ちる恐れはなく、清潔である。
【００３０】
次いで、引き出し８を収納部本体６から前方に引き出した状態で、内容器９を引き出し８上にセットする。このとき、位置決め部材３７の弾性力に抗して内容器９を引き出し本体３１の上面に載置する。内容器９は、弾性変形した位置決め部材３７にスプリング力で押し付けられた状態で、所定位置に位置決め保持される。
内容器９と引き出し本体３１との間の隙間は密閉用パッキン３８でシールされる。その結果、引き出し本体３１と内容器９の底板４１とにより、空間Ｓが密閉される。
次いで、引き出し８を後方に押し込むと、引き出し８は受けレール３０とスライド部材３２を介して後方に移動して、収納部本体６内に収納される。すると、前板７の裏面と収納部本体６との間はパッキン３３によりシールされるので、収納部本体６の内部空間は密閉される。この状態で、乾燥庫１の運転を開始することになる。
【００３１】
乾燥庫１を運転する際には、まず始めにモードを選択する（ステップ１０１）。「乾燥モード」を選択した場合には、開始操作として「乾燥モード」のスイッチをオンする（ステップ１０２）。なお、ステップ１０２でスイッチをオフすると、運転モード選択（ステップ１０１）に戻る。
スイッチをオンすると、操作部２０に入力された指令が制御部２１に送られ、制御部２１は吸気ファン１３を制御して乾燥運転を行う。この場合、制御部２１のタイマーＴ１で予め設定された時間ｔ１が経過するまで、吸気ファン１３が連続運転される。タイマーＴ１は、乾燥時間ｔ１の設定用のタイマーである。
【００３２】
吸気ファン１３が運転されると、室内の空気Ａ１が前板７の吸気用開口１０を通って空間Ｓに入る。次いで、空気Ａは、空気取り入れ部４３では、空間Ｓから立ち上がり管４４内を上昇し、カバー部材４６の内部を通って、開口部４７から内容器９内に流入する。
一方、空気Ａは、空間Ｓから棒状管４８内を上昇して開口部４９から流出し、カバー部材５０に当たって横方向に流れ出る。なお、図４に示す棒状管４８の場合には、開口部４９ａから横方向に流出する。
棒状管４８にペットボトル，瓶，缶などがセットされている場合、開口部４９から流出した空気Ａは、これら使用済食品容器２内を下方に流れるので、使用済食品容器２の内部が乾燥する。そして、この空気Ａは、これら使用済食品容器２の下部の出口から内容器９内に流出したのち、この内容器９内を上昇する。こうした空気Ａの流れにより、内容器９内の使用済食品容器２が乾燥する。
【００３３】
内容器９内を流れた空気Ａは、収納部本体６の内部を通り、吸気ファン１３により排気用配管１１を流れ、途中の逆流防止手段２６を通って、排気口２５から屋外２４に排出される。
引き出し本体３１と内容器９との間の隙間が密閉用パッキン３８によりシールされて空間Ｓが密閉され、収納部本体６と前板７との間の隙間がパッキン３３によりシールされて、収納部本体６の内部空間が密閉されている。したがって、吸気ファン１３により吸い込まれる空気Ａのほぼ全量が、吸気用開口１０から吸い込まれて内容器９内を強制的に通過する。
設定時間ｔ１が経過すると、吸気ファン１３は停止し、タイマーＴ１はリセットされる（ステップ１０３）。
【００３４】
開口部５が開放されているときに、収納部本体６内の臭気が室内に漏れ出るのを防ぐために、開口部５の開放時の防臭運転を行なっている。すなわち、ステップ１０３の経過後、開口部５が開放されているか否かを判別する（ステップ１０４）。この判別は人間が行なってもよいが、収納部本体６と引き出し８にリミットスイッチなどを設けて引き出し８が収納されているか否かを検知してもよい。開口部５が開放しているときには、吸気ファン１３が運転され（ステップ１０５）、この吸気ファン１３の運転は、開口部５が閉じられるまで連続運転される。ステップ１０４で開口部５が閉じられているときには防臭運転の必要はないので、吸気ファン１３は停止したままである（ステップ１０６）。吸気ファン１３が停止した状態でステップ１０４に戻る。
【００３５】
一方、ステップ１０１で「乾燥＋防臭モード」を選択すると、開始操作が行われる。すなわち、「乾燥＋防臭モード」のスイッチをオンすると、次の工程に移行する（ステップ２０２）。なお、このスイッチをオフするとステップ１０１の選択モードに戻る。
ステップ２０２でスイッチがオンされると、タイマーＴ１で予め設定された時間ｔ１が経過するまで吸気ファン１３が回転して、上述と同様にして乾燥運転が行われる。設定時間ｔ１が経過すると、吸気ファン１３が停止し、タイマーＴ１がリセットされる（ステップ２０３）。
【００３６】
設定時間ｔ１が経過して乾燥運転が終了すると、防臭運転に移行する。防臭運転では、吸気ファン１３の保護とランニングコストの低減のために、吸気ファン１３は間欠運転される。
すなわち、防臭運転では、タイマーＴ２で予め設定された時間ｔ２が経過するまで吸気ファン１３が運転される。設定時間ｔ２が経過すると、吸気ファン１３が停止し、タイマーＴ２がリセットされる（ステップ２０４）。タイマーＴ２は、防臭時の吸気ファン１３の間欠運転のためのファン運転時間ｔ２の設定用のタイマーである。
防臭運転時のファン間欠運転のために、ファン停止時間ｔ３の設定用のタイマーＴ３も設けられている。このタイマーＴ３で予め設定された時間ｔ３が経過したか否かが判別される（ステップ２０５）。
この設定時間ｔ３の間、吸気ファン１３は停止している。設定時間ｔ３が経過してタイマーＴ３がリセットされたのち（ステップ２０６）、ステップ２０４に戻って再び吸気ファン１３が設定時間ｔ２のあいだ運転される。
【００３７】
ステップ２０５で、設定時間ｔ３が経過していない場合は、開口部５が開放されているか否かが判別される（ステップ２０７）。開口部５が開放されている場合、吸気ファン１３を運転して（ステップ２０８）、開口部５の開放時の防臭運転が行われ、ステップ２０５に戻る。ステップ２０７で開口部５が開放されていない場合には、吸気ファン１３を停止し（ステップ２０９）、ステップ２０５に戻る。
このように、ステップ１０２，２０２で各モードのスイッチをオンすればそれぞれのモードでのシーケンス制御が行われる。各モードを終了する場合には、ステップ１０２，２０２で各スイッチをオフすれば、ステップ１０１に戻って各動作が終了する。
【００３８】
乾燥庫１を上述のように動作させることにより、使用済食品容器２が洗浄後の水気を帯びた状態でも、この使用済食品容器２を、内容器９を介して収納部３に収納して積極的に乾燥し、清潔な状態で室内で保管することができ、乾燥庫１自体も簡素な構成にすることができる。内容器９やその付属品は取り外しできるので、容易に洗浄して常に清潔な状態に保つことができる。
なお、センサなどを設置して、通風異常や吸気ファン１３の異常時には運転停止の制御を行うのが好ましく、また、排気用配管１１の途中などに、脱臭剤を使用した脱臭部を設けるのが好ましい。
【００３９】
次に、乾燥庫１を使用した実施例について説明する。
図６（Ａ）は、濡れた状態の使用済食品容器の乾燥実験を行なった際の乾燥対象物の一覧表、図６（Ｂ）は、乾燥状態の実験データを示す表、図６（Ｃ）は、図６（Ｂ）に示す実験データのグラフである。
この実験では、図６（Ａ）に示す乾燥対象物（一般家庭ごみ）を軽く水洗いし、内容器９にセットしたのち、時間経過に伴う乾燥対象物全体の水分残量を測定した。実験条件は下記の通りである。
2004113695.tif 000003
【００４０】
この実験の結果、図６（Ａ）に示す乾燥対象物全体を、約４時間乾燥することにより、乾燥対象物に付着していた水分の９８．８％を除去でき、４．５時間後には１００％の水分を除去できた。
したがって、たとえば、その日一日に発生した使用済食品容器２の全部を内容器９に収納して乾燥庫１にセットし、夜寝る前などに乾燥庫１をオンしておけば、翌日の朝までには使用済食品容器２を乾燥することができ、清潔な状態で室内で保管することができる。
このように、洗浄して水気を帯びたままの使用済食品容器２を乾燥庫１に収納して乾燥することができるので、キッチンなどで長く放置して自然乾燥する必要がなくなる。
したがって、キッチンスペースが雑然となることがなく見栄えがよくなり、家事作業の能率も向上する。また、瓶，缶，ペットボトルなどを流し台やシステムキッチンの天板上に逆さまに立て掛けておく必要がなくなるので、天板が濡れることがなくなって衛生的になる。
使用済食品容器２は、その残留付着物が腐敗する前に短時間のうちに積極的に乾燥されるので、腐敗による臭気の発生はほとんどない。
乾燥には温風を使用しておらず、吸気ファン１３の動力も小さいので、ランニングコスト（電気料）は、たとえば１０〜５０円／月程度で済み、非常に安価である。
【００４１】
（第２の実施形態）
図７ないし図１２は、前記乾燥庫１が組込まれた分別収納庫４の一実施形態を示す図である。図７は分別収納庫４の正面図、図８（Ａ）は、図７に示す分別収納庫４の斜視図、図８（Ｂ）は、図８（Ａ）の変形例にかかる分別収納庫４ａの斜視図である。
図９は、図８（Ａ），（Ｂ）に示す分別収納庫４，４ａの各引き出しを引き出した状態を示す斜視図、図１０は、図９に示す分別収納庫４，４ａに使用済食品容器２などを分別収納した状態を示す斜視図、図１１は、図８（Ａ），（Ｂ）に示す分別収納庫４，４ａの乾燥庫１における内容器９を示す斜視図である。図１２は、キッチンなどで発生する各種ごみに関する分別収納庫の商品性の比較表である。
【００４２】
図７ないし図１１は、第１の実施形態の乾燥庫１を組込んで分別収納庫４，４ａを構成した場合を示している。分別収納庫４，４ａは、使用済食品容器２などを含むごみの全体を、ごみの種類に応じて分別して収納し保管するための複数の引き出し６０ａ〜６０ｅと、これら複数の引き出し６０ａ〜６０ｅが引き出し，収納可能に設けられたキャビネット６１と、キャビネット６１に組込まれた乾燥庫１とを備えている。
各引き出し６０ａ〜６０ｅは、キャビネット６１に取付けられた受けレールとこの受けレールに係合し、各引き出しに取付けられたスライド部材とを介して、前後方向に移動自在になっている。各引き出し６０ａ〜６０ｅの前板には、移動操作用の把手がそれぞれ取付けられている。
各引き出し６０ａ〜６０ｅは、ごみの分別の数や量に応じて使い分ければよく、各引き出しの内部をさらに必要に応じて仕切っている。本実施形態では、引き出し６０ａには、紙パックと食品トレーとを分別して収納し、引き出し６０ｂには、可燃ごみとリサイクルプラスチック（容器包装プラスチックなど）を分別して収納している。
引き出し６０ｃには、資材（たとえば、ごみ袋や缶の圧縮機）が設置され、また、紙箱，紙袋，包装紙などを収納し、引き出し６０ｄには、ペットボトルと瓶や缶などを分別して収納し、引き出し６０ｅには、生ごみを処理可能な生ごみ処理機６２が設置されている。
このように分別収納庫４，４ａでは、乾燥庫１と引き出し６０ａ〜６０ｅは、隣り合わせになるようにキャビネット６１に組み込まれて、一つのキャビネットとして構成されている。
なお、乾燥庫１用のキャビネットと引き出し用のキャビネットとを分離し、且つ、乾燥庫１と引き出し６０ａ〜６０ｅとが隣り合わせになるように構成した場合でもよい。
【００４３】
図７，図８（Ａ）に示す分別収納庫４には、乾燥庫１の排気用配管１１が取付けられている。図８（Ｂ）に示す分別収納庫４ａでは、乾燥庫１用の排気用配管１１の他に、生ごみ処理機６２用の排気用配管６３がキャビネット６１に取付けられている。
分別収納庫４，４ａの使い方としては、キッチンその他の室内で発生する乾いた一般家庭ごみのうち特に資源ごみは、その種類に応じて、直接いずれかの引き出し６０ａ〜６０ｄに分別して保管する。キッチンで発生する生ごみは、引き出し６０ｅ内の生ごみ処理機６２に投入して処理する。
一方、主としてキッチンで発生し、水洗いの必要な使用済食品容器２は、洗浄し水気を帯びた状態で乾燥庫１に収納する。乾燥庫１での乾燥が終了したら、この乾燥済の使用済食品容器２を、その種類別に分別して内容器９から引き出し６０ａ〜６０ｄに移し替えて保管することになる。
【００４４】
このようにして、キッチンなどで発生し洗浄後の水気を帯びた状態の使用済食品容器２など各種のごみ全体を、何ら制約を受けることなく分別収納庫４，４ａに分別して収納し、清潔な状態で室内で保管することが可能になる。
分別収納庫４，４ａは、乾燥庫１と引き出し６０ａ〜６０ｅを隣り合わせまたは一つのキャビネットとして構成することによって、乾燥から分別収納までが手際よく行える。
キッチンなどで発生する各種のごみのほとんど全部を、分別収納庫４，４ａで受け入れることができ、使い勝手がよい。また、ごみの収納，保管，搬出などの作業を、屋外に出なくても全て室内で行うことができ、家事作業の負担が軽減する。
分別収納庫４，４ａをキッチンルームに設置すれば、ここにごみ箱を置く必要がなくなり、キッチンルームの清潔感が向上する。
【００４５】
従来の分別収納庫では、洗浄後の水気を帯びた状態の使用済食品容器を直接収納することができなかった。これに対して、本発明の分別収納庫４，４ａは、濡れた状態の使用済食品容器を乾燥庫１に直接収納できるので、収納できるものとできないものとを予め分別する必要がなく、各種のごみ全体を分別収納庫４に収納することができる。
地方自治体などによる資源ごみの回収の場合、使用済食品容器などの種類によっては回収のサイクルの長いものもあるが、使用済食品容器などを分別収納庫４，４ａに清潔な状態で良好に保管することができる。その結果、キッチンスペースはすっきりと整理されて外見も向上し、さらに、従来支障をきたしていた家事作業の能率も向上する。
また、瓶，缶，ペットボトルなどを流し台やシステムキッチンの天板上に逆さまに立て掛けておく必要がなくなるので、天板が濡れることがなくなって衛生的になる。使用済食品容器２は、その残留付着物が腐敗する前に短時間のうちに積極的に乾燥されるので、腐敗による臭気の発生はほとんどない。
このように、分別収納庫４，４ａにおいても、前記第１の実施形態と同じ作用効果を奏する。
【００４６】
図１２は、キッチンなどで発生する各種ごみに関する分別収納庫の商品性の比較表である。
図１２では、本発明の分別収納庫４にかかる本件製品と、従来の分別収納庫にかかる各種製品（Ａ製品〜Ｄ製品）とを比較している。比較表中の、「○」は「可能」または「良」であることを示し、「△」は「やや可能」または「可」であることを示し、「×」は「不可能」または「不可」であることを示している。
この比較表に示すように、分別以前に必要な濡れごみ（洗浄後の水気を帯びた状態の使用済食品容器２）の乾燥機能を本件製品に設けた点が、従来と比べて新規な着目であることが分かる。
また、比較表から分かるように、本件製品では、シンクまわりでの自然乾燥が不要なので、キッチンスペースが整然として見栄えがよくなり、また、乾燥庫１と多くの引き出し６０ａ〜６０ｅが設けられているので、ごみの分別種の数を多くすることができる。
【００４７】
（第３の実施形態）
図１３は、分別収納庫４，４ａをキッチン７０の収納庫７１に組込んだ状態を示す斜視図である。
前記第２の実施形態では、分別収納庫４，４ａを独立して設置した場合を示しているが、乾燥庫１が乾燥機能を有しているので、図１３に示すように、分別収納庫４，４ａを厨房家具に組込んで使用することができる。厨房家具としては、たとえば、食器，台所用品および食品などを収納する収納庫７１や、システムキッチン７２や、キッチンの流し台などがある。
図示する収納庫７１は、キッチン７０に設置されて食器などを収納している。分別収納庫４，４ａに接続された排気用配管１１が、建屋壁２３を貫通して屋外まで延びている。
このように、分別収納庫４，４ａを、厨房家具に簡単な設計変更で容易に組込むことができる。また、キッチン７０のスペースを有効に活用し、全体のデザインの調和を図ることができる。分別収納庫４，４ａを厨房家具に組込んでも、前記第１の実施形態，第２の実施形態と同じ作用効果を奏する。
【００４８】
以上、本発明の複数の実施形態（変形例を含む）を説明したが、本発明は上述の実施形態に限定されるものではなく、本発明の要旨の範囲で種々の変形，付加などが可能である。
なお、各図中同一符号は同一または相当部分を示す。
【００４９】
【発明の効果】
本発明にかかる使用済食品容器乾燥庫は、上述のように構成したので、使用済食品容器が洗浄後の水気を帯びた状態でも、これを収納して乾燥し清潔な状態で室内で保管することができ、簡素な構成にすることができる。
本発明にかかる分別収納庫は、上述のように構成したので、洗浄後の水気を帯びた状態の使用済食品容器など各種のごみ全体を、制約を受けることなく収納し、分別して清潔な状態で室内で保管することが可能になる。
【図面の簡単な説明】
【図１】図１ないし図１３は本発明の実施形態を示す図で、図１は、使用済食品容器乾燥庫の一実施形態を示す斜視図である。
【図２】図１に示す使用済食品容器乾燥庫の内容器を示す図である。図２（Ａ），（Ｂ），（Ｃ）は、それぞれ前記内容器の斜視図，Ｂ部拡大図，Ｃ部拡大図である。
【図３】前記使用済食品容器乾燥庫の断面図である。
【図４】図４（Ａ）〜（Ｄ）は、前記内容器に設けられる棒状管の各種変形例を示す斜視図である。
【図５】前記使用済食品容器乾燥庫の動作を示すフローチャートである。
【図６】図６（Ａ）は、濡れた状態の使用済食品容器の乾燥実験を行なったときの乾燥対象物の一覧表、図６（Ｂ）は、乾燥状態の実験データを示す表、図６（Ｃ）は、図６（Ｂ）に示す実験データのグラフである。
【図７】図７ないし図１２は、前記使用済食品容器乾燥庫が組込まれた分別収納庫の一実施形態を示す図で、図７は前記分別収納庫の正面図である。
【図８】図８（Ａ）は、図７に示す分別収納庫の斜視図、図８（Ｂ）は、図８（Ａ）の変形例にかかる分別収納庫の斜視図である。
【図９】図８（Ａ），（Ｂ）に示す分別収納庫の各引き出しを引き出した状態を示す斜視図である。
【図１０】図９に示す分別収納庫に使用済食品容器などを分別収納した状態を示す斜視図である。
【図１１】図８（Ａ），（Ｂ）に示す分別収納庫の使用済食品容器乾燥庫における内容器を示す斜視図である。
【図１２】キッチンなどで発生する各種ごみに関する分別収納庫の商品性の比較表である。
【図１３】前記分別収納庫をキッチンの収納庫に組込んだ状態を示す斜視図である。
【符号の説明】
１　　　使用済食品容器乾燥庫
２　　　使用済食品容器
３　　　収納部
４，４ａ　　分別収納庫
５　　　開口部
６　　　収納部本体
７　　　前板
８　　　引き出し
９　　　内容器
１０　　吸気用開口
１１　　排気用配管
１３　　吸気ファン
２２　　室内
２４　　屋外
６０ａ〜６０ｅ　　引き出し
６１　　キャビネット
７１　　収納庫（厨房家具）
Ａ　　　空気
【図１】
2004113695.tif 000004
【図２】
2004113695.tif 000005
【図３】
2004113695.tif 000006
【図４】
2004113695.tif 000007
【図５】
2004113695.tif 000008
【図６】
2004113695.tif 000009
【図７】
2004113695.tif 000010
【図８】
2004113695.tif 000011
【図９】
2004113695.tif 000012
【図１０】
2004113695.tif 000013
【図１１】
2004113695.tif 000014
【図１２】
2004113695.tif 000015
【図１３】
2004113695.tif 000016